(57)【要約】【課題】どのような角度にカーテンの房紐が引掛けられていても、カーテンが強制的に引かれた際に確実に房掛けを自己解除し、更に、どのように房紐を掛けをしても引掛部材のL字の底部に房紐がかからない構造とする。【解決手段】房掛けの背部１０ｂを形成し、且つ、背面空洞部１０ｃに凹球面座１０ｄを形成された取付金具１０を備え、弾性手段１３により常時前記凹球面１０ｄに押圧されつつ回転自由に摺動する凸面１２aを有する球面部材１２を備え、該球面部材１２に確実に固定され、且つ、カーテンの房紐５と６を引掛けるための引掛頭１１aと分岐した腕１１bを有する引掛部材１１を備え、また、前記弾性部材１３は夫々両端を前記球面部材１２及び前記取付金具１０の背面に配設されたバネ支持材１４で回転方向動きを規制されて付勢されていることを特徴とする房掛金具８を提供する。【選択図】        図２
2007252459.tif 000002
【特許請求の範囲】
【請求項１】
電動カーテンの使用時及びカーテンを強制的に閉じた時に房掛けを自己解除できる房掛金具において、柱等に直接取り付けられ、房掛けの背部を形成し、且つ、背面空洞部に凹球面座を形成された取付金具を備え、弾性手段により常時前記凹球面に押圧されつつ回転自由に摺動する凸面を有する球面部材を備え、該球面部材に確実に固定され、且つ、カーテンの房を引掛けるための腕を有する引掛部材を備え、また、前記弾性部材は夫々両端を前記球面部材及び前記取付金具の背面に配設されたバネ支持材で回転方向動きを規制されて付勢されていることを特徴とする自己解除房掛金具。
【請求項２】
請求項１の房掛金具において、引掛部材が取付金具との間に複数の房掛空間を形成するための複数の腕を備え、内側の房掛空間は房紐の一端が外れないように固定し、外側の開放空間は房紐の他端が外れやすく止める形状としたことを特徴とする房掛金具。
【発明の詳細な説明】
【技術分野】
【０００１】
本発明は電動カーテンの使用時及びカーテンを強制的に閉じた時に房掛けを自己解除できる房掛金具に関するものである。
【背景技術】
【０００２】
最近、電動カーテンが養護施設や病院で使用されてきている。これは、寝たきりでもリモコン操作（遠隔操作）でカーテンの開閉が自由にできるからである。しかしながら、そこにいる看護人とかお付の人は手でカーテンを開ける場合もあるし、カーテンを房で房掛金具に止めることもある。このようにカーテンが房掛けに止められた状態で電動カーテンのリモコンが操作され、このようなことが頻繁になると電動カーテンかカーテンが損傷する。
【０００３】
このようにカーテンが房掛けに止められた状態で電動カーテンのリモコンが操作された際にカーテンの房紐が自己解除されて、カーテンの開閉に支障をきたさない房掛金具が考案されている。
しかしながら、これらの房掛金具は充分満足いくものでなく２つの欠点がある。
１つは房掛金具の引掛部材が取付面から見て時計および反時計回りに回転するだけなので房紐の掛かり方如何では解除されないことが生じる。例えば、取付面に垂直に引かれた場合は解除されない。
２つ目は房紐が運悪くL字の引掛け部材の底部に掛かっている場合には、カーテンが引かれても引掛け部材を回転させることができなく、完全にロックしてしまう。
【特許文献１】特許公開２００４−２１６０７９
【０００４】
従って、特に養護施設や病院のように多くの健常者、障害者、お年寄りが電動カーテンを手引きしたり、リモコン操作したり、房掛けしたりしても確実に自己解除される房掛金具が要求されている。
また、一般家庭でもカーテンを閉じる際に、房掛けを外さずに、カーテンを少し強く引くことで、束ねられたカーテンを閉じることが可能となり、利便性が増す。
【発明の開示】
【発明が解決しようとする課題】
【０００５】
この様な問題解決のため、どのような角度にカーテンの房紐が引掛けられていても、カーテンが強制的に引かれた際に確実に房掛けを自己解除し、更に、どのように房紐を掛けをしても引掛部材のL字の底部に房紐がかからない構造とする。
【課題を解決するための手段】
【０００６】
柱等に直接取り付けられ、房掛けの背部１０ｂを形成し、且つ、背面空洞部１０ｃに凹球面座１０ｄを形成された取付金具１０を備え、弾性手段１３により常時前記凹球面１０ｄに押圧されつつ回転自由に摺動する凸面１２aを有する球面部材１２を備え、該球面部材１２に確実に固定され、且つ、カーテンの房紐５と６を引掛けるための引掛頭１１aと分岐した腕１１bを有する引掛部材１１を備え、また、前記弾性部材１３は夫々両端を前記球面部材１２及び前記取付金具１０の背面に配設されたバネ支持材１４で回転方向動きを規制されて付勢されていることを特徴とする房掛金具８を提供する。
【発明の効果】
【０００７】
以上説明したように、電動カーテン用のカーテンの房掛金具８に房紐の固定側６を取り付ける場合に、引掛部材１１を手前に引きつつ、左、もしくは右に回転させながら房の固定側紐６を引掛部材１１のL字底部に取付、その後、引掛部材１１を一旦開放すると腕１１ｂが固定側紐を閉塞し、どのように引張っても取り外せない状態にできる。
更に、房４でカーテン３を束ね房紐５を引掛部材１１の引掛頭１１aに掛けると、房紐５は前記引掛部材１１の底部まで落ちることはなく腕１１bから上の比較的浅い箇所に引っかかることになる。また、引掛部材１１はカーテンが引かれた時のどの方向からの引張荷重に対しても傾斜することで、前記房紐５を速やかに自己解除することができる。
【発明を実施するための最良の形態】
【０００８】
電動カーテンをリモコンで操作する場合は、セットで本房掛金具を使用し、カーテンを不本意に房紐で束ねる場合のリモコン操作に対しても安全を確保する。更に、普通の束ねられたカーテンを少し強く引いて房掛を解除したいという使い方をしたい場合に本自己解除房掛金具を使用すると便利である。
【実施例１】
【０００９】
図１は電動カーテンと本発明の房掛金具を取り付けた状況を全体構成を示すものである。電動カーテン１は複数のランナ２を有しており、該ランナ２にカーテン３の上端がクリップ等で固定され、リモコン操作でカーテン３が開閉される。図１はカーテン３が開けられた位置で、カーテンの房４の紐５、６で柱７に取り付けられた房掛金具８により束ねられた状態を示す。房紐６は該房掛金具８の底部に常に掛けられ、房紐５はカーテンを束ねる際には該房掛金具８の上部に引掛けられる。
【００１０】
図２は本発明による房掛金具の実施例を断面図で示したものである。房掛金具８は取付金具１０、引掛部材１１、該引掛部材１１にビス１６で止めされる球面部材１２、前記球面部材１２を常時付勢する弾性部材１３、及び、前記弾性部材の一端を支承するバネ支持材１４で構成されている。前記取付金具１０は背面空洞部１０ｃに形成された凹球面座１０ｄを有し、前記球面部材１２に形成された凸面１２aが常時前記凹球面１０ｄに弾性部材１３により押圧されつつ全方向回転自由に摺動する構成となっている。また前記弾性部材１３は、前記球面部材１２に形成された肩部１２cに内径を支承され、且つ、一端をバネ止１３aで前記球面部材１２に確実に固定され、そして、他方もバネ支持部材１４に形成された肩部１４aに内径を支承され、且つ、バネ止１３bでバネ支持材１４に確実に固定されている。また、該バネ支持材１４はビス１５により取付金具１０の背面に形成された窪み１０fに固定されている。従って、前記引掛部材１１と一体の前記球面部材１２が左右前後に回転しても、元の中立位置に復元する構成となっている。更に、前記引掛部材１１はカーテンの房紐５、６を引掛けるための引掛頭１１aと分岐した腕１１bを有し、房掛けの背部１０ｂと該腕１１bの間に底部空間９aおよび上部開口部９ｂを形成する。
該空間９aには、房紐６の一端が常時掛けられ、前記上部開口部９bにはカーテンを束ねた後の房紐９bが掛けられる構成となっている。
【図面の簡単な説明】
【００１１】
【図１】図１は電動カーテンと本発明の房掛金具を取り付けた状況を全体構成を示すものである。
【図２】本発明による房掛金具の実施例を断面図で示したものである。
【符号の説明】
【００１２】
１  電動カーテン  
２  ランナ  
３  カーテン  
４  房 
５  固定側房紐  
６  引掛側房紐  
７  柱  
８  房掛金具  
【図１】
2007252459.tif 000003
【図２】
2007252459.tif 000004